(57)【要約】【課題】本発明は、第２血行促進部材が保持される上層を、第１血行促進部材が保持される下層から容易に剥がすことができる身体血行促進具の提供を目的とする。【解決手段】第２粘着層２２及び発熱剤２１を有する上層２と、第１粘着層３２を有する下層３と、第１粘着層３２を覆った剥離紙４とを備えている。第１粘着層３は、剥離紙４が剥がされて、磁石が接着され、その状態で、身体の一部に接着される。第２粘着層２２は、その面積が下層３の第１粘着層３２の面積よりも小さくなるように構成されている。【選択図】図１
2010274055.tif 000002
【特許請求の範囲】
【請求項１】
身体の一部に接着され血行促進部材によって血行を促進できるようにした身体血行促進具であって、
第１血行促進部材を保持する下層と、第２血行促進部材を保持する上層とを備え、
前記下層は、その下面に、前記身体の一部に引き剥がし可能に接着する第１粘着層を備え、
前記上層は、その下面に、前記下層の上面に引き剥がし可能に接着した第２粘着層を備え、
前記第２粘着層は、その面積が第１粘着層の面積よりも小さくなるように構成されていることを特徴とする身体血行促進具。
【請求項２】
前記上層の下面には、第２粘着層が形成された粘着領域と、第２粘着層が形成されていない非粘着領域とが設けられ、
前記非粘着領域は、前記下面における外周縁部の一部又は全周に配設されていることを特徴とする請求項１記載の身体血行促進具。
【請求項３】
前記第１血行促進部材は、磁石から構成されているとともに、その磁石は、前記第１粘着層が前記身体の一部に接着される際に前記第１粘着層に接着可能とされ、
前記第１粘着層には、その第１粘着層を剥離可能に覆った剥離紙が設けられ、
前記剥離紙は、第１隣接辺を有する第１剥離紙片と、その第１隣接辺と隣接する第２隣接辺を有する第２剥離紙片とを備え、
前記第１隣接辺と第２隣接辺とのいずれか一方に、少なくとも１つの凹部が設けられ、
前記いずれか他方に、前記凹部を覆い得るように形成された凸部が設けられていることを特徴とする請求項１又は２記載の身体血行促進具。
【請求項４】
前記凹部は、前記第１隣接辺又は第２隣接辺から、前記磁石を配置し得るように切り込まれた切り込み凹部から構成され、
前記凸部は、前記第２隣接辺又は第１隣接辺から前記他方側に突出された突片から構成されていることを特徴とする請求項３記載の身体血行促進具。
【発明の詳細な説明】
【技術分野】
【０００１】
本発明は、身体の一部に接着され血行促進部材によって血行を促進する身体血行促進具に関するものである。
【背景技術】
【０００２】
身体の一部に接着され血行促進部材によって血行を促進する身体血行促進具は、従来から知られている。例えば血行促進部材として発熱剤を用いた発熱体貼着具、或いは、血行促進部材として磁石を用いた磁石貼着具等が広く知られている。又、例えば特許文献１に、貼付用温灸磁気治療具が提案されている。このものは、貼付用シールの上に、第１血行促進部材としての発熱剤（発熱体）をつけ、その発熱剤の中央に、第２血行促進部材としての磁石を組み入れたものである。このように構成することにより、身体の一部に貼れば、発熱剤による発熱と磁石の磁力との両方で身体の血行を促進することができ、発熱剤又は磁石の一方の場合に較べて、より一層、血行の促進を図ることができる。
【先行技術文献】
【特許文献】
【０００３】
【特許文献１】特開２００３−１７５０８９号公報
【発明の概要】
【発明が解決しようとする課題】
【０００４】
ところで、上記のように身体の一部に貼り付けて使用するような形態では、発熱剤の発熱により血行促進効果を得られる時間は、磁石によるそれよりも通常短く、発熱剤の上記効果が終わった後においても磁石は使用できる。しかしながら、上記特許文献１に記載の貼付用温灸磁気治療具においては、発熱剤の上記効果が終わった後に、磁石だけを使用するような手段がなされていない。従って、上記のものでは、発熱剤の上記効果が終わった後は、全体を身体から剥がして廃棄等するか、或いは、効果のなくなった発熱剤をそのまま身体に貼っておくことになる。全体を廃棄すれば、使用可能な磁石も同時に短時間で取り外して廃棄することになってしまい、不経済なものになってしまう。その一方、ほとんど効果のなくなった発熱剤をそのまま身体に貼っておいたのでは、嵩張って邪魔になり、使用し難い場合も多い。
【０００５】
本発明は、第２血行促進部材が保持される上層を、第１血行促進部材が保持される下層から容易に剥がすことができる身体血行促進具の提供を目的とする。
【課題を解決するための手段】
【０００６】
上記課題を解決するため、請求項１の発明は、身体の皮膚の一部に接着され血行促進部材によって血行を促進できるようにした身体血行促進具であって、第１血行促進部材を保持する下層と、第２血行促進部材を保持する上層とを備え、前記下層は、その下面に、前記身体の一部に引き剥がし可能に接着する第１粘着層を備え、前記上層は、その下面に、前記下層の上面に引き剥がし可能に接着した第２粘着層を備え、前記第２粘着層は、その面積が第１粘着層の面積よりも小さくなるように構成されていることを特徴とする身体血行促進具を提供する。
【０００７】
請求項２の発明は、請求項１に係る前記上層の下面には、第２粘着層が形成された粘着領域と、第２粘着層が形成されていない非粘着領域とが設けられ、前記非粘着領域は、前記下面における外周縁部の一部又は全周に配設されていることを特徴とするものである。
【０００８】
請求項３の発明は、請求項１又は２に係る前記第１血行促進部材が、磁石から構成されているとともに、その磁石は、前記第１粘着層が前記身体の一部に接着される際に前記第１粘着層に接着可能とされ、前記第１粘着層には、その第１粘着層を剥離可能に覆った剥離紙が設けられ、前記剥離紙は、第１隣接辺を有する第１剥離紙片と、その第１隣接辺と隣接する第２隣接辺を有する第２剥離紙片とを備え、前記第１隣接辺と第２隣接辺とのいずれか一方に、少なくとも１つの凹部が設けられ、前記いずれか他方に、前記凹部を覆い得るように形成された凸部が設けられていることを特徴とするものである。
【０００９】
請求項４の発明は、請求項３に係る前記凹部が、前記第１隣接辺又は第２隣接辺から、前記磁石を配置し得るように切り込まれた切り込み凹部から構成され、前記凸部は、前記第２隣接辺又は第１隣接辺から前記他方側に突出された突片から構成されていることを特徴とするものである。
【発明の効果】
【００１０】
本発明の請求項１によれば、上層の第２粘着層は、その面積が下層の第１粘着層の面積よりも小さくなるように構成されている。
【００１１】
これにより、下層からの上層の引き剥がしを容易なものにでき、例えば身体に接着した状態から上層を引っ張れば下層を身体に貼り付けた状態を維持させつつ上層を下層から引き剥がすことが可能になる。
【００１２】
従って、例えば第１血行促進部材として磁石を使用し、又、第２血行促進部材として、磁石よりも血行促進の効果持続時間の短い発熱剤を使用するようにすれば、発熱剤の発熱による血行促進の効果が終えた後、発熱剤を保持した上層だけを容易に取り外して磁石による血行促進の継続を図ることができる。
【００１３】
請求項２によれば、上層の下面には、第２粘着層が形成された粘着領域と、第２粘着層が形成されていない非粘着領域とが設けられ、非粘着領域は、下面における外周縁部の一部又は全周に配置されている。
【００１４】
これにより、上層を下層から引き剥がす際には、非粘着領域を把持して行なうことができる。従って、非粘着領域を、上層を下層から引き剥がす際の把持部として機能させることができ、より一層、上層の下層からの引き剥がしを容易なものにできる。
【００１５】
又、非粘着領域を把持して上層を下層から引き剥がす際、身体に接着した下層における上記非粘着領域に対応する外周縁部を手で押さえることができ、より確実且つ容易に、下層を身体に貼り付けた状態を維持させつつ上層を下層から引き剥がすことが可能になる。
【００１６】
請求項３によれば、剥離紙は、第１隣接辺を有する第１剥離紙片と、その第１隣接辺と隣接する第２隣接辺を有する第２剥離紙片とを備え、第１隣接辺と第２隣接辺とのいずれか一方に、凹部が設けられる。又、いずれか他方に、凹部を覆い得るように形成された凸部が設けられている。
【００１７】
これにより、磁石を、第１粘着層に接着させて保持させる場合は、例えば凸部を剥離すれば磁石を配置できる程度に第１粘着層を露出させることもできる。そして、その状態で、その部分に磁石を配置すれば第１粘着層に磁石を接着できる。従って、磁石を第１粘着層に接着させて保持させる際に、手を第１粘着層に触れ難くでき、容易に行なうことができる。
【００１８】
請求項４によれば、凹部は、第１隣接辺又は第２隣接辺から、磁石を配置し得るように切り込まれた切り込み凹部から構成され、凸部は、第２隣接辺又は第１隣接辺から他方側に突出された突片から構成されている。
【００１９】
これにより、より一層、磁石を第１粘着層に接着させる作業を容易なものにできる。しかも、磁石を、第１粘着層における所定位置に接着でき、例えば切り込み凹部を第１粘着層の中央に設定しておけば、磁石を、第１粘着層の中央に接着できる。従って、磁石を第１粘着層で確実に保持でき、例えば使用中に磁石が外れるおそれの少ないものにできる。
【図面の簡単な説明】
【００２０】
【図１】本発明の一実施の形態の身体血行促進具の分解斜視図である。
【図２】その身体血行促進具の底面図である。
【図３】上層の底面図である。
【図４】下層の底面図である。
【図５】第２剥離紙片の突片を剥離した際の断面説明図である。
【図６】磁石配置部に磁石を配置した状態の断面説明図である。
【図７】第２粘着層の他の実施形態の説明図である。
【図８】第２粘着層の更に他の実施形態の説明図である。
【図９】上層の他の実施形態の説明図である。
【発明を実施するための形態】
【００２１】
以下、本発明を実施するための最良の形態について、図面を参照しながら詳細に説明する。図１は、本発明の一実施の形態の身体血行促進具の分解斜視図、図２は、その身体血行促進具の底面図である。
【００２２】
本実施形態の身体血行促進具１は、図１に示すように、上層２と、下層３と、剥離紙４とを備えている。上層２は、上層本体２０と、上層本体２０の下面に設けられた第２粘着層２２とを備えている。
【００２３】
上層本体２０は、この実施形態では、１辺が４０ｍｍ程度の正方形状のものから構成されており、図５に示すように上壁２０ａと、下壁２０ｂ（図５では、上壁２０ａの上側に表れている）と、それらの上壁２０ａと下壁２０ｂと間に配設された第２血行促進部材としての発熱剤２１とを備えている。
【００２４】
上壁２０ａと下壁２０ｂとは、上下に重ね合わされるとともに、その間に発熱剤２１を配設した状態で、外周縁部が全周に渡って互いに連結されており、下壁２０ｂの下面が上層本体２０の下面を構成している。
【００２５】
発熱剤２１は、この実施形態では、従来から使い捨てカイロ等の発熱剤として用いられているものと同様のもので、酸化作用によって発熱するものから構成されている。より詳しくは、発熱剤２１は、鉄粉、反応触媒としての水及び食塩、それを保持する高分子吸収剤、活性炭、バーミキュライト等を含むものから構成されている。
【００２６】
そして、図示しないが、身体血行促進具１の全体が合成樹脂製のフィルム包装材で密封包装されており、使用に際してフィルム包装材から身体血行促進具１が取り出されるようになっている。これにより、上層本体２０の上壁２０ａに設けられた通気孔２１ｃ（図１に図示）から空気が入り、その空気が発熱剤２１に触れて発熱剤２１が発熱するようになっている。
【００２７】
又、この実施形態では、発熱剤２１の量は、設定温度で３時間〜４時間程度、発熱し続けることができるように設定されている。尚、発熱剤２１の種類や量は、特に限定されず、適宜変更使用できる。
【００２８】
第２粘着層２２は、下層３に引き剥がし可能に接着されており、その面積が、後述の下層３の第１粘着層３２の面積よりも小さい。この実施形態では、図３に示すように、上記下壁２０ｂの下面の前後左右の中央部にだけ配設され、その下面の外周縁部には配設されていない。
【００２９】
従って、この実施形態の上層２の下面は、第２粘着層２２が形成された粘着領域２３と、第２粘着層２２が形成されていない非粘着領域２４とを有するものとされている。そして、粘着領域２３は、上層２の下面の中央部に配設され、非粘着領域２４は、上層２の下面における外周縁部の全周に配設されている。
【００３０】
又、この実施形態では、第２粘着層２２は、下層３からの引き剥がし力（ＪＩＳ  Ｚ０２３７（２０００）に規定される粘着力の試験方法に基づく引き剥がし力）が、０．２ニュートン／２５ｍｍ〜１．０ニュートン／２５ｍｍになるように設定されている。
【００３１】
上記引き剥がし力が０．２ニュートン／２５ｍｍよりも小さくなると、使用中に下層３から剥がれてしまうおそれが生じる。一方、１．０ニュートン／２５ｍｍを越えると下層３から引き剥がし難くなってしまう。
【００３２】
尚、第２粘着層２２の上記引き剥がし力は、上記設定範囲内に限らず、適宜変更できる。
【００３３】
下層３は、図１に示すように下層本体３０と、下層本体３０の下面に設けられた第１粘着層３２とを備えている。下層本体３０は、この実施形態では、上記上層本体２０と同形状及び同じ大きさの布から構成されている。
【００３４】
第１粘着層３２は、身体（皮膚）の一部に接着されるとともに、第１血行促進部材としての磁石を接着して保持する。この実施形態では、図４に示すように上記第２粘着層２２を構成した粘着剤と同じ粘着剤から構成され、図４に示すように下層本体３０の下面の全体に、上記第２粘着層２２と略同厚さで形成されている。
【００３５】
又、この実施形態における第１粘着層３２は、身体に接着した後の身体からの引き剥がし力上記ＪＩＳ  Ｚ０２３７（２０００）に基づくもの）が、上記上層の第２粘着層２２の引き剥がし力よりも少なくとも０．８ニュートン／２５ｍｍ、大きくなるように設定されている。
【００３６】
尚、第１粘着層３２の引き剥がし力は、上記設定のものに限らず、適宜変更できる。ただし、第１粘着層３２の引き剥がし力を上記のように設定しておけば、下層３を身体の一部に接着した状態を維持しながら上層２を下層３から容易に引き剥がすことができ、その点で好ましい。
【００３７】
そして、この下層３は、上層２の下方側に重ね合わされて積層されるようにして、その上面が上層２の第２粘着層２２に接着される。
【００３８】
剥離紙４は、第１粘着層を剥離可能に覆っている。この実施形態では、図１、図２に示すように第１隣接辺４１ａを有する第１剥離紙片４１と、その第１隣接辺４１ａと隣接する第２隣接辺４２ａを有する第２剥離紙片４２とを備えている。
【００３９】
第１剥離紙片４１の第１隣接辺４１ａには、第２剥離紙片４２と反対側に凹まされるようにして形成された凹部が設けられている。この実施形態では、凹部は、第１隣接辺４１ａから切り込まれるようにして形成された切り込み凹部４３から構成されている。
【００４０】
この切り込み凹部４３は、磁石５を配置する磁石配置部４３ａと、第１隣接辺４１ａと磁石配置部４３ａとを連通するようにして形成された幅狭部４３ｂとから構成されている。
【００４１】
磁石配置部４３ａは、内周壁４３ｃによって、磁石５の外周とほぼ同じ形状及び大きさの円形状に区画形成されることにより磁石５を第１粘着層３２に接着し易い形状に形成されている。又、この実施形態では、磁石配置部４３ａは、その中心が第１粘着層３２の中心Ｏに一致するように形成されている。
【００４２】
幅狭部４３ｂは、その幅Ｌ１が、磁石配置部４３ａの幅Ｌ２よりも狭くなるように構成されている。
【００４３】
一方、第２剥離紙片４２の第２隣接辺４２ａには、第１剥離紙片４１側に突出するように形成された凸部が設けられている。この実施形態では、凸部は、第２隣接辺４２ａから第１剥離紙片４１側に突出された突片４４から構成されている。この突片４４は、磁石配置部４３ａに対応する位置に配設された磁石配置部用被覆片４４ａと、幅狭部４３ｂに対応する位置に配設された幅狭部被覆片４４ｂとを備えている。
【００４４】
磁石配置部用被覆片４４ａは、磁石配置部４３ａの全体を覆い得る形状及び大きさのものから構成される。この実施形態では、磁石配置部４３ａと略同形状及び略同じ大きさに形成されている。
【００４５】
幅狭部被覆片４４ｂは、幅狭部４３ｂの全体を覆い得る形状及び大きさのものから構成される。この実施形態では、幅狭部４３ｂと略同形状及び略同じ大きさに形成されている。
【００４６】
尚、この磁石配置部用被覆片４４ａや幅狭部被覆片４４ｂは、磁石配置部４３ａ、幅狭部４３ｂよりも大きくても良く、適宜変更できる。
【００４７】
又、凹部は、切り込み凹部４３から構成される形態のものに限らず、例えば第１隣接辺４１ａの全体を湾曲状に窪ませるようにして第１隣接辺４１ａの全体に形成されるものであっても良く、適宜変更できる。
【００４８】
又、凹部を、切り込み凹部４３から構成する場合、切り込み凹部４３を１つだけ設ける形態のものに限らず、複数の切り込み凹部４３を設けても良い。
【００４９】
以上のように構成された本発明の身体血行促進具１の動作について説明する。まず、本発明の身体血行促進具１を、図示しないフィルム包装材から取り出す。これにより、上層２の発熱剤２１が酸化作用によって発熱し始める。
【００５０】
又、別途準備した磁石５を下層３の第１粘着層３２に接着させる。又、この接着を、例えば、次のようにして行なうことができる。例えば剥離紙４を上側にして、図２、図５に示すように、折り目線７を、第１剥離紙片４１の磁石配置部４３ａを横切るように形成して、その折り目線７に沿って山折りする。
【００５１】
これにより、第２剥離紙片４２の磁石配置部用被覆片４４ａの先端部を、磁石配置部４３ａから離すことができる。そして、この状態から、その先端部を、前方側（図５の左側）の幅狭部被覆片４４ｂ側に回動操作する。
【００５２】
その際、幅狭部被覆片４４ｂの幅が磁石配置部４３ａよりも幅狭に形成されているため、幅狭部被覆片４４ｂが折り曲がって回動の軸になり、容易に回動操作できる。
【００５３】
又、この磁石配置部用被覆片４４ａの回動により、第１粘着層３２における磁石配置部４３ａに対応する部分が露出する。そして、この状態で、図６に示すように磁石５を当該部分に接着する。
【００５４】
その接着に際しては、第１粘着層３２における当該部分以外の他の部分は露出していないため、第１粘着層３２に手が触れるようなことがなく、容易に磁石５を接着できる。
【００５５】
又、回動の軸になった幅狭部被覆片４４ｂを、例えば磁石配置部４３ａと同程度の幅又はそれ以上の幅に形成した場合には、回動した磁石配置部用被覆片４４ａが弾性によって元の状態に近い状態にまで戻って磁石配置部４３ａを覆い、磁石配置部用被覆片４４ａが邪魔になって磁石５を磁石配置部４３ａに置き難い。
【００５６】
しかし、この実施形態では、幅狭部被覆片４４ｂを磁石配置部４３ａよりも幅狭に形成しているため、幅狭部被覆片４４ｂを弾性力を小さくでき、回動した磁石配置部用被覆片４４ａを戻り難くできる。
【００５７】
又、磁石５を磁石配置部４３ａに置くことで、磁石５を、常に第１粘着層３２の中心部に配設できる。従って、磁石を第１粘着層で確実に保持でき、例えば使用中に磁石が外れるおそれの少ないものにできる。
【００５８】
その後、第１剥離紙片４１及び第２剥離紙片４２を第１粘着層３２から剥離し、身体の患部（一部）、例えば肩部に、磁石５を当てるとともに第１粘着層３２を接着させる。これにより、磁石５の磁力及び発熱剤２１の発熱によって肩部の血行を促進できる。
【００５９】
発熱剤２１が発熱できなくなって発熱による血行促進効果が期待できなくなった後（この実施形態では、発熱開始から３〜４時間後）は、上層２の非粘着領域２４を把持し、例えば上方側に引っ張る。
【００６０】
その際、上層２の第２粘着層２２の面積が下層３の第１粘着層３２の面積よりも小さく、且つ、第２粘着層２２における下層３からの引き剥がし力が下層３の第１粘着層３２における肩部からの引き剥がし力よりも小さく設定されているため、下層３を肩部に接着した状態を維持させながら上層２を下層３から剥がすことができる。
【００６１】
従って、上層２の下層３からの引き剥がしを容易に行なうことができ、例えば上層２を下層３から引き剥がすよりも先に下層３が肩部から剥がれてしまうということを防止でき、その下層３から上層２を引き剥がした後に、再度、下層３を肩部に貼り付けるという面倒な作業を行なう必要のないものにできる。
【００６２】
又、上層２の非粘着領域２４を把持して引っ張る際、非粘着領域２４に対応する下層３の外周縁部を手で押さえるようにして行なうようにすれば、より確実且つ容易に、下層を身体に貼り付けた状態を維持させつつ上層を下層から引き剥がすことができる。
【００６３】
上層２を引き剥がした後は、下層３に保持させた磁石５によって血行の促進を図ることができる。
【００６４】
尚、上記実施形態では、上層２の第２粘着層２２における下層３からの引き剥がし力を、下層３の第１粘着層３２における身体からの引き剥がし力よりも小さくしているが、この形態のものに限らず、例えば第２粘着層２２の上記引き剥がし力を、第１粘着層３２の上記引き剥がし力と同じ又は大きくしても良く、適宜変更できる。
【００６５】
又、上層２の第２粘着層２２を構成する粘着剤、及び下層３の第１粘着層３２を構成する粘着剤の種類や量は、特に限定されず、適宜変更できる。
【００６６】
例えば上層２の第２粘着層２２を構成する粘着剤として、発熱剤２１の熱によって硬化して粘着力が低下し得るものを用い、あるいは、発熱剤２１の熱による水分含有量の変化で粘着力が低下する水溶性ゲルを用いても良い。
【００６７】
又、上記実施形態では、第２粘着層２２を上層２の中央部に配設したが、この形態のものに限らず、適宜変更できる。
【００６８】
例えば図７に示すように、第２粘着層１２２を、上層２の前端から後端にかけて所定幅で形成した１つ又は複数の帯状第２粘着層１２２ａから構成する（図７では、２つの帯状粘着層１２２ａから構成した場合を例示している）。
【００６９】
更には、図８に示すように、第２粘着層２２２を、上層２の前端から後端にかけて所定幅で形成した縦帯状第２粘着層２２２ａと、上層２の左端から右端にかけて所定幅で形成した横帯状第２粘着層２２２ｂとから構成し、上層２の角部の４箇所に、非粘着領域２２３を形成する。
【００７０】
又、図示しないが、第２粘着層を、上層２の外周縁部の全周に配設し、上層２の中央部に非粘着領域を形成するようにしても良い。ただし、この場合は、非粘着領域を把持部として機能させることができなくなるので、上記実施形態のように、上層２の外周縁部の一部又は全周に非粘着領域を形成するのが好ましい。
【００７１】
又、上層２及び下層３の形状や大きさは、特に限定されず、適宜変更できる。例えば、上層２を、下層３よりも小さく又は大きくしても良い。
【００７２】
また、上記実施形態では、第１血行促進部材として磁石５を用い、第２血行促進部材として発熱剤２１を用いているが、この形態のものに限らず、第１血行促進部材が第２血行促進部材よりも血行促進持続効果の長いものであれば良く、適宜変更できる。
【００７３】
例えば第１血行促進部材として磁石を用い、第２血行促進部材として血行促進効果を示す薬剤を用いるとともに、図９に示すように上層３０２を下層３０３よりも大きくする。そして、上層３０２の下面における下層３０３と重なる部分の一部に第２粘着層２２を形成し（この図９では、下層３０３の中央部に第２粘着層２２を形成したものを例示）、その下面における下層３０３からはみ出た部分に、身体の一部に接着させる第３粘着層３２２を形成する。そして、上記薬剤を、第３粘着層３２２にのみ、或いは第２粘着層２２と第３粘着層３２２に配設したものにする。
【００７４】
又、例えば第１血行促進部材として上記薬剤を用い、第２血行促進部材として発熱剤２１を用いても良い。さらには、第１血行促進部材として磁石を用い、第２血行促進部材として発熱剤２１と上記薬剤とを用いてもよい。
【００７５】
又、上記実施形態では、身体血行促進具をフィルム包装材から取り出した後に、ユーザが磁石を下層３の第１粘着層３２に接着するようにしているが、この形態のものに限らず、予め下層３の下面に磁石を保持させたものであっても良い。
【符号の説明】
【００７６】
１    身体血行促進具
２    上層
３    下層
４    剥離紙
５    磁石（第１血行促進部材）
２１    発熱剤（第２血行促進部材）
２２    第２粘着層
３２    第１粘着層
【図１】
2010274055.tif 000003
【図２】
2010274055.tif 000004
【図３】
2010274055.tif 000005
【図４】
2010274055.tif 000006
【図５】
2010274055.tif 000007
【図６】
2010274055.tif 000008
【図７】
2010274055.tif 000009
【図８】
2010274055.tif 000010
【図９】
2010274055.tif 000011